(57)【要約】      （修正有）【課題】ライフステージや予想されるイベントに関係なくライフプランをシミュレーションするシミュレーションシステムを提供する。【解決手段】シミュレーションシステム１は、時間軸並びに資産軸が定義されたグラフ表示およびイベントオブジェクトを含むシミュレーション画面を表示処理し、ユーザ端末に対して送信可能にする表示手段と、グラフ表示においてシミュレーション結果を表示するためのユーザ情報の入力を受け付ける受付手段と、シミュレーション画面におけるユーザ端末からの操作入力に基づいて、グラフ表示に対するイベントオブジェクトの配置処理を受け付け可能にする配置手段と、を備える。受付手段は、配置処理によりグラフ表示に配置されたイベントオブジェクトに基づいて、ユーザ情報の少なくとも一部の入力を受け付ける。【選択図】図１
2019144653.tif 000002
【特許請求の範囲】
【請求項１】
入力されたユーザ情報に基づいて、ライフプランシミュレーションを行う為のシミュレーションシステムであって、
時間軸並びに資産軸が定義されたグラフ表示およびイベントオブジェクトを含むシミュレーション画面を表示処理し、ユーザ端末に対して送信可能にする表示手段と、
前記グラフ表示においてシミュレーション結果を表示するためのユーザ情報の入力を受け付ける受付手段と、
前記シミュレーション画面における前記ユーザ端末からの操作入力に基づいて、前記グラフ表示に対する前記イベントオブジェクトの配置処理を受け付け可能にする配置手段と、を備え、
前記受付手段は、前記配置処理により前記グラフ表示に配置されたイベントオブジェクトに基づいて、前記ユーザ情報の少なくとも一部の入力を受け付けることを特徴とするシミュレーションシステム。
【請求項２】
前記グラフ表示は、所定のユーザ情報が入力される都度、表示内容が更新されることを特徴とする請求項１に記載のシミュレーションシステム。
【請求項３】
前記受付手段は、前記配置処理により前記グラフ表示に配置されたイベントオブジェクトの種別及び前記時間軸における位置に基づいて、ユーザ情報の少なくとも一部の入力を受け付けることを特徴とする請求項１又は請求項２に記載のシミュレーションシステム。
【請求項４】
前記グラフ表示は、収入に関する表示、支出に関する表示および資産総計に関する表示を含むことを特徴とする請求項１〜３の何れかに記載のシミュレーションシステム。
【請求項５】
前記グラフ表示において、収入に関する表示は資産軸の正方向に、支出に関する表示は資産軸の負方向に、それぞれ対向して延び、資産総計に関する表示は、前記収入及び支出に関する表示に重ねて表示されることを特徴とする請求項４に記載のシミュレーションシステム。
【請求項６】
前記表示手段は、更に、前記ユーザ情報に基づいて、ユーザの年齢を基準としたイベント発生のタイミング並びにイベント内容を並べて表示したイベント一覧表示を表示処理することを特徴とする請求項１〜５の何れかに記載のシミュレーションシステム。
【請求項７】
前記時間軸の基端は、ユーザが入力したシミュレーション開始を希望する年齢であることを特徴とする請求項１〜６の何れかに記載のシミュレーションシステム。
【請求項８】
前記イベントオブジェクトは、特定のタイミングに起因するイベントに関するオブジェクトと、特定のタイミングに起因しないイベントに関するオブジェクトと、が識別可能に表示されることを特徴とする請求項１〜７の何れかに記載のシミュレーションシステム。
【請求項９】
前記イベントオブジェクトは、収入に関するオブジェクトと、支出に関するオブジェクトと、が識別可能に表示されることを特徴とする請求項１〜８の何れかに記載のシミュレーションシステム。
【請求項１０】
入力されたユーザ情報に基づいて、ライフプランシミュレーションを行う為のシミュレーション方法であって、
コンピュータが、時間軸並びに資産軸が定義されたグラフ表示およびイベントオブジェクトを含むシミュレーション画面を表示処理し、ユーザ端末に対して送信可能にする表示ステップと、
前記グラフ表示においてシミュレーション結果を表示するためのユーザ情報の入力を受け付けるステップと、
前記シミュレーション画面における前記ユーザ端末からの操作入力に基づいて、前記グラフ表示に対する前記イベントオブジェクトの配置処理を受け付けるステップと、を実行し、
前記配置処理により前記グラフ表示に配置されたイベントオブジェクトに基づいて、前記ユーザ情報の少なくとも一部の入力を受け付けることを特徴とするシミュレーション方法。
【請求項１１】
入力されたユーザ情報に基づいて、ライフプランシミュレーションを行う為のシミュレーションプログラムであって、
コンピュータを、時間軸並びに資産軸が定義されたグラフ表示およびイベントオブジェクトを含むシミュレーション画面を表示処理し、ユーザ端末に対して送信可能にする表示手段と、
前記グラフ表示においてシミュレーション結果を表示するためのユーザ情報の入力を受け付ける受付手段と、
前記シミュレーション画面における前記ユーザ端末からの操作入力に基づいて、前記グラフ表示に対する前記イベントオブジェクトの配置処理を受け付け可能にする配置手段と、として機能させ、
前記受付手段は、前記配置処理により前記グラフ表示に配置されたイベントオブジェクトに基づいて、前記ユーザ情報の少なくとも一部の入力を受け付けることを特徴とするシミュレーションプログラム。
【発明の詳細な説明】
【技術分野】
【０００１】
本発明は、ライフプランのシミュレーションを実施するためのシミュレーションシステム、シミュレーション方法およびシミュレーションプログラムに関する。
【背景技術】
【０００２】
従来から、ユーザが自身のライフスタイルに基づくデータを入力し、将来の必要経費や将来の予定収入など、年毎の収支を試算して、ライフプランのシミュレーションを行ったり、個々人に最適となる保険や貯蓄プラン、ローン支払い方法等を提案を受けるためのシステムが利用されている。
【０００３】
例えば、新婚夫婦や世帯主の年齢を時系列に表示する欄と対応する位置に、年齢ごとのライフイベントを写真や絵図で表現するライフイベント欄を設け、それぞれの年齢ごとのライフイベントを一望し、表示期間内のライフプランを容易に把握し、ライフプランの実現性を高めるためのシステムが知られている（特許文献１）。
【０００４】
また、例えば、単位年毎の住宅ローンの返済状況と、その住宅ローンの返済状況に影響し合う単位年毎の生涯予想金融資産との変遷を関連付けてシミュレーションし、住宅ローンの返済の仕方を変えると老後の金融資産や生活費がどのように変化するかを容易に知得出来る生涯金融資産試算システムが知られている（特許文献２）。
【先行技術文献】
【特許文献】
【０００５】
【特許文献１】特開２０１１−２２９４８号公報
【特許文献２】特開２００７−４１８０７号公報
【発明の概要】
【発明が解決しようとする課題】
【０００６】
しかしながら、従来のライフプランのシミュレーションを行う為の技術では、チェックボックスを選択したり、テキストボックスに所定の情報を入力することのみでライフプランのシミュレーションを行っており、ライフプランのシミュレーションに必要となる情報の入力が単調となる問題があった。
【０００７】
また、ライフプランのシミュレーションを実施するために、ユーザは多岐にわたる情報の入力を行う必要があるが、必ずしもすべての質問項目への回答を事前準備できているわけではない。そのため、ユーザは、情報の入力を進めながら自身のライフプランを想像し、さらなる情報の入力を行ったり、入力済みの情報を修正する場合がある。しかし、イベント・ステージごとの画面構成の中で回答を検討し入力していくので、自身の生涯の全期間を俯瞰しながら、ライフプランを予想したり、個別のイベントの位置づけを決定することができなかった。
【０００８】
本発明は、上記のような実状に鑑みてなされたものであり、シミュレーションを行う当人のライフステージや予想されるイベントに関係なく、一律に同じ構成の入力画面を表示し入力させることで非効率的なシミュレーションになっていたという実状を、解決すべき課題とする。
【課題を解決するための手段】
【０００９】
上記課題を解決するために、本発明は、入力されたユーザ情報に基づいて、ライフプランシミュレーションを行う為のシミュレーションシステムであって、
時間軸並びに資産軸が定義されたグラフ表示およびイベントオブジェクトを含むシミュレーション画面を表示処理し、ユーザ端末に対して送信可能にする表示手段と、
前記グラフ表示においてシミュレーション結果を表示するためのユーザ情報の入力を受け付ける受付手段と、
前記シミュレーション画面における前記ユーザ端末からの操作入力に基づいて、前記グラフ表示に対する前記イベントオブジェクトの配置処理を受け付け可能にする配置手段と、を備え、
前記受付手段は、前記配置処理により前記グラフ表示に配置されたイベントオブジェクトに基づいて、前記ユーザ情報の少なくとも一部の入力を受け付けることを特徴とする。
【００１０】
このような構成とすることでグラフ領域を表示させながら、イベントオブジェクトを配置することでユーザ情報の入力を行うことができる。これにより、自身の生涯の全期間を俯瞰しながら、ライフプランを予想したり、個別のイベントの位置づけを決定することが可能となり、ライフプランの眺望をイメージしながら、ライフプランをシミュレーションするための情報を入力することができる。また、ユーザ情報の入力を、ユーザの任意の項目から行うことができる。
【００１１】
本発明の好ましい形態では、前記グラフ表示は、所定のユーザ情報が入力される都度、表示内容が更新されることを特徴とする。
このような構成とすることで、ユーザ情報の入力を行いながら、更新されたグラフ表示の内容を確認することができ、自身の生涯の全期間を俯瞰しながら、ライフプランを予想したり、個別のイベントの位置づけを決定して、さらなるユーザ情報の入力及びユーザ情報の修正を行うことができる。
【００１２】
本発明の好ましい形態では、前記受付手段は、前記配置処理により前記グラフ表示に配置されたイベントオブジェクトの種別及び前記時間軸における位置に基づいて、ユーザ情報の少なくとも一部の入力を受け付けることを特徴とする。
このような構成とすることで、イベントオブジェクトを配置することでユーザ情報を入力することができ、ライフプランの眺望をイメージしながら、ライフプランをシミュレーションするための情報の入力を行うことができる。
【００１３】
本発明の好ましい形態では、前記グラフ表示は、収入に関する表示、支出に関する表示および資産総計に関する表示を含むことを特徴とする。
【００１４】
本発明の好ましい形態では、前記グラフ表示において、収入に関する表示は資産軸の正方向に、支出に関する表示は資産軸の負方向に、それぞれ対向して延び、資産総計に関する表示は、前記収入及び支出に関する表示に重ねて表示されることを特徴とする。
【００１５】
本発明の好ましい形態では、前記表示手段は、更に、前記ユーザ情報に基づいて、ユーザの年齢を基準としたイベント発生のタイミング並びにイベント内容を並べて表示したイベント一覧表示を表示処理することを特徴とする。
このような構成とすることで、ライフプランにおいて発生するイベントを容易に把握することができる。
【００１６】
本発明の好ましい形態では、前記時間軸の基端は、ユーザが入力したシミュレーション開始を希望する年齢であることを特徴とする。
【００１７】
本発明の好ましい形態では、前記イベントオブジェクトは、特定のタイミングに起因するイベントに関するオブジェクトと、特定のタイミングに起因しないイベントに関するオブジェクトと、が識別可能に表示されることを特徴とする。
このような構成とすることで、イベントオブジェクトで意図されるイベント内容の把握を容易に行うことができる。
【００１８】
本発明の好ましい形態では、前記イベントオブジェクトは、収入に関するオブジェクトと、支出に関するオブジェクトと、が識別可能に表示されることを特徴とする。
このような構成とすることで、イベントオブジェクトで意図されるイベント内容の把握を容易に行うことができる。
【００１９】
本発明は、入力されたユーザ情報に基づいて、ライフプランシミュレーションを行う為のシミュレーション方法であって、
コンピュータが、時間軸並びに資産軸が定義されたグラフ表示およびイベントオブジェクトを含むシミュレーション画面を表示処理し、ユーザ端末に対して送信可能にする表示ステップと、
前記グラフ表示においてシミュレーション結果を表示するためのユーザ情報の入力を受け付けるステップと、
前記シミュレーション画面における前記ユーザ端末からの操作入力に基づいて、前記グラフ表示に対する前記イベントオブジェクトの配置処理を受け付けるステップと、を実行し、
前記配置処理により前記グラフ表示に配置されたイベントオブジェクトに基づいて、前記ユーザ情報の少なくとも一部の入力を受け付けることを特徴とする。
【００２０】
本発明は、入力されたユーザ情報に基づいて、ライフプランシミュレーションを行う為のシミュレーションプログラムであって、
コンピュータを、時間軸並びに資産軸が定義されたグラフ表示およびイベントオブジェクトを含むシミュレーション画面を表示処理し、ユーザ端末に対して送信可能にする表示手段と、
前記グラフ表示においてシミュレーション結果を表示するためのユーザ情報の入力を受け付ける受付手段と、
前記シミュレーション画面における前記ユーザ端末からの操作入力に基づいて、前記グラフ表示に対する前記イベントオブジェクトの配置処理を受け付け可能にする配置手段と、として機能させ、
前記受付手段は、前記配置処理により前記グラフ表示に配置されたイベントオブジェクトに基づいて、前記ユーザ情報の少なくとも一部の入力を受け付けることを特徴とする。
【発明の効果】
【００２１】
本発明によれば、ライフプランのシミュレーションを実施するための情報を効率的に入力し、シミュレーションを実施するためのシミュレーションシステムを提供することを提供することができる。
【図面の簡単な説明】
【００２２】
【図１】本発明の実施形態に係るシミュレーションシステムの機能ブロック図である。
【図２】本発明の実施形態に係るシミュレーションサーバのハードウェア構成図である。
【図３】本発明の実施形態に係る入力画面の画面表示例である。
【図４】本発明の実施形態に係るシミュレーション画面の画面表示例である。
【図５】本発明の実施形態に係るグラフ表示及び入力画面の画面表示例である。
【図６】本発明の実施形態に係る入力画面の画面表示例である。
【図７】本発明の実施形態に係る入力画面の画面表示例である。
【図８】本発明の実施形態に係る入力画面の画面表示例である。
【図９】本発明の実施形態に係る入力画面の画面表示例である。
【図１０】本発明の実施形態に係る入力画面の画面表示例である。
【図１１】本発明の実施形態に係る入力画面の画面表示例である。
【図１２】本発明の実施形態に係るシミュレーション画面の画面表示例である。
【図１３】本発明の実施形態に係るシミュレーション処理の処理フローチャートである。
【発明を実施するための形態】
【００２３】
以下、図面を用いて、本発明に関するシミュレーションシステムについて説明する。なお、以下に示す実施形態は本発明の一例であり、本発明を以下の実施形態に限定するものではなく、様々な構成を採用することもできる。
【００２４】
例えば、本実施形態ではシミュレーションシステムの構成、動作等について説明するが、同様の構成の方法、サーバ装置、コンピュータプログラム、記録媒体等も、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００２５】
本実施形態では、ユーザのライフプランをシミュレーションし、ユーザのライフスタイルに即した貯蓄プランを提案するためシミュレーションシステムを提供する場合について例示する。本システムが利用される応用分野については特に制限はなく、例えば、金融商品や保険商品等、ユーザのライフスタイルを分析して特定のサービスを提案するためのシステムとして利用されてもよいし、単にライフプランの試算を行う為のシステムとして利用されても構わない。
【００２６】
図１は、本発明の実施形態におけるシミュレーションシステムの概要を示す機能ブロック図である。シミュレーションシステム１は、シミュレーションサーバ２と、シミュレーションを行う為の情報を記憶するデータベースＤＢと、ユーザが操作し、シミュレーションの要求等に利用される１又は複数のユーザ端末３（３Ａ、３Ｂ）と、を備えている。シミュレーションサーバ２及びユーザ端末３は、ネットワークＮＷを介して通信可能に構成されている。
【００２７】
図２は、シミュレーションサーバ２のハードウェア構成を示す図である。シミュレーションサーバ２は、演算装置（ＣＰＵ２０１）と、主記憶装置（ＲＡＭ２０２）と、ＨＤＤやＳＳＤ、フラッシュメモリ等の補助記憶装置（記録装置２０３）と、外部の装置とネットワークＮＷを介して通信を行うためのインタフェースである通信装置２０４と、入力装置２０５と、出力装置２０６と、を備えている。また、記録装置２０３は、オペレーティングシステム２０７と、オペレーティングシステム２０７と協調してその機能を発揮するシミュレーションプログラム２０８等が記録されている。
【００２８】
ユーザ端末３は、ＣＰＵ等の演算装置、ＲＡＭ等の主記憶装置、ＨＤＤやＳＳＤ、フラッシュメモリ等の補助記憶装置、ネットワークＮＷへの接続手段を含む各種の入出力装置等を備えた、パーソナルコンピュータ、スマートフォン、タブレット端末等の汎用的なコンピュータ装置を用いることができる。
【００２９】
ユーザ端末３は、シミュレーションを実施するためのウェブページを利用する為のウェブブラウザアプリケーションを記憶している。ユーザ端末３は、ウェブブラウザアプリケーションに替えて、又は加えて、シミュレーションを行う為のシミュレーションアプリケーションを記憶していても構わない。
【００３０】
シミュレーションサーバ２は、受付手段４と、表示手段５と、配置手段６と、算出手段７と、提案手段８と、を備えている。ここで、本実施形態においてシミュレーションサーバ２に含まれる機能構成を実現する為の各処理手段は、必ずしも１台のサーバ装置に含まれる必要はなく、複数のコンピュータに備えられた構成であってもよい。例えば、受付手段４、表示手段５、配置手段６および算出手段７を備え、ユーザ端末３等からユーザ情報の入力を受け付けてシミュレーションを実行する為のサーバ装置と、提案手段８を備え、シミュレーション結果に基づいて所定の貯蓄プラン等を提案するサーバ装置と、によってシミュレーションシステム１が構成されてもよい。
【００３１】
データベースＤＢは、シミュレーションシステム１で利用される情報を記憶している。本実施形態では、データベースＤＢは、シミュレーションを行う為にユーザ端末３を介して入力されたユーザ情報や、シミュレーション結果に基づいて提案を行うプラン情報等を有している。
【００３２】
受付手段４は、シミュレーションを実施するためのユーザ情報の入力を受け付ける。本実施形態では、受付手段４は、ユーザ端末３を介して、ユーザ情報の入力を受け付ける。
【００３３】
表示手段５は、シミュレーション画面を表示処理し、ユーザ端末に対して送信可能にする。本実施形態では、シミュレーション画面に加え、ユーザ情報の入力画面を表示処理する。ユーザ情報は、入力画面に含まれるチェックボックスやテキストボックス等を介して入力される情報と共に、シミュレーション画面に含まれるイベントオブジェクトをグラフ表示に配置することで入力される情報を含む。ユーザ情報は、必須の項目並びに任意の項目を含んでいてよく、本実施形態では、必須の項目がすべて入力されることで、ライフプランのシミュレーションが実施される。
【００３４】
図３は、ユーザ端末３で表示される入力画面Ｗ１の画面表示例である。ライフプランをシミュレーションしようとするユーザは、まず入力画面Ｗ１にアクセスして、ユーザ情報を入力する。ユーザは、入力部Ｗ１１を介してユーザ情報の一部（図示例では、「現在の年齢」及び「現在の金融資産額」）を入力する。シミュレーション画面Ｗ２に入力エリア（入力部Ｗ１１）を付加して「現在の年齢」及び「現在の金融資産額」を入力してもよい。ここで、図示例ではユーザの「現在の年齢」を入力させているが、例えば、「シミュレーションの開始を希望する年齢」を入力させる構成としてもよい。
【００３５】
入力部Ｗ１１にユーザ情報を入力した後、進むボタンＷ１２を押下することで、シミュレーション画面が表示される。
【００３６】
図４は、シミュレーション画面の画面表示例である。シミュレーション画面Ｗ２は、グラフ表示Ｗ２１と、入力画面表示部Ｗ２２と、イベントボックスＷ２３と、イベント一覧表示Ｗ２４と、シミュレーションを実行する実行ボタンＷ２５と、を備えている。
【００３７】
グラフ表示Ｗ２１は、時間軸並びに資産軸が定義されており、ユーザ情報を入力することで、後述する収入グラフＷ２１Ａ及び支出グラフＷ２１Ｂが、資産軸を基端として相対する方向に延びて表示され、併せて資産グラフＷ２１Ｃが表示される。ユーザがユーザ情報の所定の項目（例えば、年収や年金額、居住住宅の維持費用など）を入力することで、収入グラフＷ２１Ａ及び支出グラフＷ２１Ｂが表示、更新される。ユーザ情報が入力されることにより、グラフの値に加えて、グラフ表示に含まれる他の内容を変更や更新して、表示処理されるように構成しても構わない。例えば、入力された収入に関するユーザ情報に応じて、資産軸の幅を変化させるように構成しても構わない。
【００３８】
グラフ表示Ｗ２１の時間軸は、図示例ではユーザの年齢を値としてとっており、ユーザが入力画面Ｗ１で入力した「現在の年齢」を基端として、時間軸が設定される。年齢に替えて、又は加えて、例えば西暦や和暦等を値として、時間軸をとっても構わない。入力画面表示部Ｗ２２を選択すると、所定のユーザ情報を入力するための入力画面が表示される。入力画面を介して入力されたユーザ情報は、受付手段４を介して受け付けられる。
【００３９】
イベントボックスＷ２３には、複数のイベントオブジェクトＯＢ（図示例では、ＯＢ１〜ＯＢ６）が配置されており、ユーザは、配置手段６を介してイベントオブジェクトＯＢをグラフ表示Ｗ２１に配置する。また、入力画面から所定のユーザ情報を入力すると、新たなイベントオブジェクトＯＢが追加される構成としても構わない。例えば、入力画面において表示された「子供の有無」という質問に対して、「将来ほしい」とするユーザ情報の入力を受け付けた場合、「出産」のイベントオブジェクトを新たに追加してよい。なお、イベントオブジェクトの追加は、イベントボックスＷ２３等のグラフ表示Ｗ２１以外の部分について行われてもよいし、グラフ表示Ｗ２１上に追加されてもよい。
【００４０】
イベント一覧表示Ｗ２４は、ユーザの年齢を基準としたイベント発生のタイミング並びにイベント内容を並べて表示する。本実施形態では、ユーザの現在の年齢を基端として、５年間隔で、５０年後までの西暦、年齢、その時に発生するライフプランイベントを並べて表示している。受付手段４が、イベント一覧表示Ｗ２４に反映する所定のユーザ情報を受け付けると、表示手段５がイベント一覧表示Ｗ２４を表示処理し、更新されたイベント一覧表示Ｗ２４がユーザ端末３で表示される。
【００４１】
図示例では、ユーザを軸としてイベント内容が表示可能に構成されているが、ユーザ情報として配偶者の有無や子供の有無等が入力された場合、ユーザを軸とした表示に加えて、更に、ユーザ以外の人物を軸としたイベント内容を、ユーザを軸としたイベント内容と並べて表示可能に構成している。例えば、配偶者のライフプランイベントである「（配偶者の）退職」については、配偶者を軸として、ユーザの年齢を基準とした位置にイベント内容が配置表示される。
【００４２】
配置手段６は、シミュレーション画面Ｗ２において、ユーザ端末３からの操作入力に基づいて、グラフ表示Ｗ２１に対するイベントオブジェクトＯＢの配置処理を受け付ける。受付手段４は、配置処理によりグラフ表示Ｗ２１に配置されたイベントオブジェクトＯＢの種別及び前記時間軸における位置に基づいて、ユーザ情報の一部の入力を受け付ける。例えば、イベントオブジェクトＯＢ４（「退職金」に関するイベントオブジェクトＯＢ）をグラフ表示Ｗ２１に配置することで、退職金の受け取り時期（本例では時間軸で適宜される「年齢」）について、ユーザ情報を与えることができる。
【００４３】
また、配置手段６によりイベントオブジェクトＯＢをグラフ表示に配置する際に、グラフ表示の表示内容を変化させても構わない。例えば、グラフ表示の一部を拡大表示したり、配置しているイベントオブジェクトの位置によって入力されるユーザ情報を表示したり、軸の値を変化させたりしてよい。
【００４４】
本実施形態では、イベントオブジェクトＯＢが配置された時間軸に応じてユーザ情報を入力しているが、時間軸に替えて、又は加えて、資産軸に応じてユーザ情報を入力するように構成しても構わない。例えば、イベントオブジェクトＯＢ４の時間軸に対する位置に応じて退職金の受け取り時期に関するユーザ情報を入力し、資産軸に対する位置に応じて予想される退職金額をユーザ情報として入力するようにしてもよい。この際、グラフ表示に設定された資産軸のスケールでは金額の入力が難しい場合には、グラフ表示の一部を拡大表示したり、軸の値を変化（スケールを変化）させるなどしてよい。
【００４５】
また、ユーザがチェックボックスやテキストボックスを介して入力したユーザ情報に基づいて、イベントオブジェクトＯＢの時間軸に対する位置及び／又は資産軸に対する位置を与え又は変化させ、グラフ表示Ｗ２１にイベントオブジェクトＯＢを配置するように構成してもよい。このような構成であっても、ユーザは自身のライフプランの展望を確認しながら、さらなるユーザ情報の入力や調整などを行うことが可能となる。
【００４６】
イベントオブジェクトＯＢは、本実施形態に示すように、その属性に応じて識別可能に表示されてもよい。本実施形態では、特定のタイミングに起因するイベントに関するオブジェクトと、特定のタイミングに起因しないイベントに関するオブジェクトと、が配色やオブジェクトの形状によって、識別可能に表示されている。
【００４７】
特定のタイミングに起因しないイベントとは、例えば退職や結婚など、ユーザの任意のタイミングで発生するイベントであり、図示例のように、グレーの枠線で描かれた縦長のオブジェクトで表される。特定のタイミングに起因するイベントとは、例えば年金受給の開始（年齢に起因）や退職金の受け取り（退職時期に起因）など、年齢や特定のイベントに起因して発生するイベントであり、図示例のように、オレンジ又はグリーンの枠線で描かれた横長のオブジェクトで表される。
【００４８】
図５は、ユーザ情報の入力を行う際のグラフ表示及び入力画面の画面表示例である。本実施形態では、収入に関するイベントオブジェクトＯＢと、支出に関するイベントオブジェクトＯＢと、が識別可能に表示されている。収入に関するイベントとは、例えば退職金の受け取りなどであり、図示例のように、収入グラフＷ２１Ａの見た目に対応する見た目（オレンジの枠線）で描かれている。支出に関するイベントとは、例えば老後の生活費用などであり、図示例のように、支出グラフＷ２１Ｂの見た目に対応する見た目（グリーンの枠線）で描かれている。
【００４９】
また、図５（ａ）は、グラフ表示Ｗ２１にイベントオブジェクトＯＢを配置する際の画面表示例である。ユーザは、ユーザ端末３の入力部（マウスやタッチパネル等）を介して配置を所望するイベントオブジェクトＯＢを選択し、グラフ表示Ｗ２１まで移動させて所望の位置に配置する。また、入力されたユーザ情報に基づいて、収入グラフＷ２１Ａ、支出グラフＷ２１Ｂ及び資産グラフＷ２１Ｃが表示、更新される。
【００５０】
図５（ｂ）は、イベントオブジェクト配置と共に、ユーザ情報の入力を行う為の入力画面の画面表示例である。一部又は全部のイベントオブジェクトについては、その配置と共に、ユーザ情報の入力画面を表示させ、当該イベントオブジェクトに関連したユーザ情報の入力を可能としている。本実施形態では、イベントオブジェクトＯＢを配置し、当該イベントオブジェクトを選択（例えば、マウス操作によるクリックや、タッチパネルに対するタップ等の操作）した後に、当該イベントオブジェクトＯＢに関する追加のユーザ情報を入力するための入力画面が表示される。
【００５１】
なお、ユーザ情報の入力画面の表示タイミングは、イベントオブジェクトの配置後に限らず、イベントオブジェクトの配置前であってもよく、ユーザがイベントオブジェクトを選択する動作に起因して、当該イベントオブジェクトに関連するユーザ情報の入力画面を表示させ、入力を受付けてよい。
【００５２】
図６は、その他のユーザ情報の入力を行う為の入力画面の画面表示例である。入力画面表示部Ｗ２２を選択すると、所定のユーザ情報を入力するための入力画面が表示される。図示例における「家族」の入力画面表示部Ｗ２２を選択すると、図６に示すような、家族に関するユーザ情報の入力を行う為の入力画面が表示される。
【００５３】
算出手段７は、入力されたユーザ情報に基づいて、算出処理を実行する。本実施形態では、算出手段７は、入力画面での入力又はイベントオブジェクトＯＢの配置により入力されたユーザ情報を用いて、グラフ表示における収入グラフ、支出グラフ及び資産グラフに関する表示内容の算出処理を行う。表示手段５は、算出処理された表示内容に基づいて、シミュレーション画面におけるグラフ表示をリアルタイムで更新する表示処理を行う。
【００５４】
図７〜１１は、入力画面の画面表示例である。図７（ａ）は、「家族」の入力画面表示部Ｗ２２を選択すると表示される配偶者に関するユーザ情報の入力画面Ｗ３Ａの画面表示例である。入力画面Ｗ３Ａにおいて入力部Ｗ３１で「いる」をユーザが選択すると、図７（ｂ）に示すように、更に子供の有無等に関するユーザ情報の入力画面Ｗ３Ｂが表示される。ユーザは、入力画面Ｗ３Ｂの入力部Ｗ３２を介して、さらなるユーザ情報を入力することができる。
【００５５】
また、リンクＬＮからは、当該入力画面で入力されるユーザ情報について、補足情報を閲覧するためのウェブページを表示することができる。例えば、入力画面Ｗ３ＡにおいてリンクＬＮ（図示例における「結婚と新生活の費用」）を選択すると、結婚や、結婚後の生活で生じる費用等（補足情報）について、情報を表示することができる。
【００５６】
図７（ｃ）は、「教育」の入力画面表示部Ｗ２２を選択すると表示される子供の教育に関するユーザ情報の入力画面Ｗ４の画面表示例である。入力部Ｗ４１を介して、ユーザは子供の教育に関するユーザ情報を入力する。
【００５７】
図８は、「労働収入」の入力画面表示部Ｗ２２を選択すると表示される労働収入に関するユーザ情報の入力画面Ｗ５の画面表示例である。図８（ａ）に示すように、ユーザは入力部Ｗ５１を介して、個人事業主・会社員・公務員を選択することができる。
【００５８】
個人事業主を選択した場合には、図８（ｂ）に示すように入力部Ｗ５２が表示され、会社員を選択した場合には、図８（ｃ）に示すように入力部Ｗ５３が表示され、公務員を選択した場合には、図８（ｄ）に示すように入力部Ｗ５４が表示さる。ユーザは、入力部Ｗ５２〜Ｗ５４の何れかを介して、労働収入に関するユーザ情報を入力する。また、入力画面Ｗ３Ａを介して「あり」を選択したユーザの場合、配偶者の労働収入に関するユーザ情報について入力する領域が更に表示され、配偶者が個人事業主・会社員・公務員を選択することで、更にＷ５２〜Ｗ５４に表示される内容が変化する。
【００５９】
図９（ａ）は、「資産運用」の入力画面表示部Ｗ２２を選択すると表示される資産運用に関するユーザ情報の入力画面Ｗ６の画面表示例である。ユーザは入力部Ｗ６１を介して、資産運用に関するユーザ情報を入力する。
【００６０】
図９（ｂ）は、「生活」の入力画面表示部Ｗ２２を選択すると表示される生活に関するユーザ情報の入力画面Ｗ７の画面表示例である。ユーザは入力部Ｗ７１を介して、生活に関するユーザ情報を入力する。
【００６１】
図９（ｃ）は、「退職後の収入」のイベントオブジェクトＯＢ３を選択すると表示される退職後の収入（年金以外の収入）に関するユーザ情報の入力画面Ｗ８の画面表示例である。ユーザは入力部Ｗ８１を介して、退職後の収入に関するユーザ情報を入力する。
【００６２】
図９（ｄ）は、「年金」のイベントオブジェクトＯＢ２を選択すると表示される年金に関するユーザ情報の入力画面Ｗ９の画面表示例である。ユーザは入力部Ｗ９１を介して、年金に関するユーザ情報を入力する。
【００６３】
図１０（ａ）から（ｄ）は、「居住住宅」のイベントオブジェクトＯＢ５を選択すると表示される居住住宅に関するユーザ情報の入力画面Ｗ１０ＡからＤの画面表示例である。図１０（ａ）に示すように、ユーザは入力部Ｗ１０１を介して、一戸建て、マンション所有・賃貸住宅（今後購入予定あり）・賃貸住宅（購入予定なし）・居住費なしを選択することができる。
【００６４】
一戸建て、マンション所有を選択した場合には、図１０（ｂ）に示すように入力部Ｗ１０２が表示され、賃貸住宅（今後購入予定あり）を選択した場合には、図１０（ｃ）に示すように入力部Ｗ１０３が表示され、賃貸住宅（購入予定なし）を選択した場合には、図１０（ｄ）に示すように入力部Ｗ１０４が表示される。ユーザは、入力部Ｗ１０２〜Ｗ１０４の何れかを介して、居住住宅に関するユーザ情報を入力する。ユーザは入力部Ｗ１０１を介して、居住費なしを選択した場合には、ユーザ情報の入力部のさらなる表示は行われない。
【００６５】
図１１は、「老後の生活」のイベントオブジェクトＯＢ６を選択すると表示される老後の生活に関するユーザ情報の入力画面Ｗ２０の画面表示例である。ユーザは入力部Ｗ２０１を介して、老後の生活に関するユーザ情報を入力する。
【００６６】
図１２は、ユーザ情報の入力が完了したシミュレーション画面の画面表示例である。ユーザが必要なユーザ情報を入力し、シミュレーション画面において実行ボタンＷ２５を押下すると、シミュレーションの結果について分析処理が実行される。表示手段５は、分析処理結果を表示処理して、表示処理結果をユーザ端末３に対して送信可能にする。
【００６７】
本実施形態では、提案手段８は、入力されたユーザ情報に基づいて、ユーザの貯蓄プランを分析処理する。当該分析処理結果に基づいてユーザに対して最適な貯蓄プランが提案される。
【００６８】
図１３を用いて、本実施形態におけるユーザ情報の入力からシミュレーション処理の完了までの流れについて説明する。ステップＳ１１において、ユーザ端末３からのユーザ情報（現在の年齢、金融資産額）を入力する。ステップＳ１２において、シミュレーション画面を表示させる。
【００６９】
ユーザは、シミュレーション画面でのイベントオブジェクトの配置又は入力画面での入力を介して、ユーザ情報を入力（又は修正）する（ステップＳ１３）。シミュレーション画面では、ユーザはグラフ表示に対してイベントオブジェクトを重ね合わせることで、ユーザ情報の入力を行う。入力画面においては、ユーザ情報をテキストボックスにテキスト入力したり、チェックボックスを選択するなどして入力する。所定のユーザ情報が入力（又は修正）されると、グラフ表示及び／又はイベント一覧表示の表示内容が更新される（ステップＳ１４）。必要なユーザ情報の入力が完了するまで、ステップＳ１３〜Ｓ１４の入力、更新の処理が繰り返され、ユーザは表示されたグラフ表示やイベント一覧表示を確認しつつ、適宜ユーザ情報の入力・修正を実施する（ステップＳ１５）。
【００７０】
必要なユーザ情報の入力が完了したならば（ステップＳ１５でＹｅｓ（Ｙ））、ユーザは、実行ボタンＷ２５を押下する。実行ボタンＷ２５が押下されると、提案手段８によって分析処理が実行され、分析結果が表示処理されて、ユーザ端末３に送信可能になる（ステップＳ１６）。
【００７１】
本発明によれば、イベントオブジェクトを配置することでユーザ情報の入力を行うことができ、ライフプランの眺望をイメージしながら、ライフプランをシミュレーションするための情報を入力することができる。また、ユーザ情報の入力を、ユーザの任意の項目から行うことができる。
【００７２】
また、イベント一覧表示を含むことで、ライフプランにおいて発生するイベントを容易に把握することができる。
【００７３】
また、イベントオブジェクトで意図されるイベント内容の把握を容易に行うことができる。
【符号の説明】
【００７４】
１  シミュレーションシステム
２  シミュレーションサーバ
２０１  ＣＰＵ
２０２  ＲＡＭ
２０３  記録装置
２０４  通信装置
２０５  入力装置
２０６  出力装置
２０７  オペレーティングシステム
２０８  シミュレーションプログラム
３  ユーザ端末
４  受付手段
５  表示手段
６  配置手段
７  算出手段
８  提案手段
ＤＢ  データベース
ＮＷ  ネットワーク
Ｗ１、Ｗ３Ａ、Ｗ３Ｂ、Ｗ４、Ｗ５、Ｗ６、Ｗ７、Ｗ８、Ｗ９、Ｗ１０、Ｗ２０  入力画面
Ｗ１１、Ｗ３１、Ｗ３２、Ｗ４１、Ｗ５１、Ｗ５２、Ｗ５３、Ｗ５４、Ｗ６１、Ｗ７１、Ｗ８１、Ｗ９１、Ｗ１０１、Ｗ１０２、Ｗ１０３、Ｗ１０４、Ｗ２０１  入力部
Ｗ１２  進むボタン
Ｗ２  シミュレーション画面
Ｗ２１  グラフ表示
Ｗ２１Ａ  収入グラフ
Ｗ２１Ｂ  支出グラフ
Ｗ２１Ｃ  資産グラフ
Ｗ２２  入力画面表示部
Ｗ２３  イベントボックス
Ｗ２４  イベント一覧表示
Ｗ２５  実行ボタン
ＯＢ、ＯＢ１、ＯＢ２、ＯＢ３、ＯＢ４、ＯＢ５、ＯＢ６  イベントオブジェクト
ＬＮ  リンク
【図１】
2019144653.tif 000003
【図２】
2019144653.tif 000004
【図３】
2019144653.tif 000005
【図４】
2019144653.tif 000006
【図５】
2019144653.tif 000007
【図６】
2019144653.tif 000008
【図７】
2019144653.tif 000009
【図８】
2019144653.tif 000010
【図９】
2019144653.tif 000011
【図１０】
2019144653.tif 000012
【図１１】
2019144653.tif 000013
【図１２】
2019144653.tif 000014
【図１３】
2019144653.tif 000015
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
入力されたユーザ情報に基づいて、ライフプランシミュレーションを行う為のシミュレーションシステムであって、
（１）ユーザの収入、支出、及び資産額の時間変化のシミュレーション結果を時間軸および資産軸で定義される平面上に表したグラフ表示、（２）ライフイベントの一覧を示す一覧表示、並びに（３）複数のイベントオブジェクトが配置されたイベントボックス、を含むシミュレーション画面を表示する表示手段と、
前記シミュレーション画面においてシミュレーション結果を表示するためのユーザ情報の入力を受け付ける受付手段と、
前記シミュレーション画面において前記イベントボックス内に配置された前記複数のイベントオブジェクトの中から一のイベントオブジェクトの選択、および当該一のイベントオブジェクトの前記グラフ表示までの移動を受け付けることにより、当該グラフ表示上に当該一のイベントオブジェクトを配置する配置手段と、を備え、
前記グラフ表示上に配置された前記イベントオブジェクトが選択されたことに起因して、前記表示手段は、前記シミュレーション画面に重ねて、当該選択されたイベントオブジェクトに関する前記ユーザ情報を入力するための入力画面を表示し、
前記受付手段は、前記入力画面を介して、前記選択されたイベントオブジェクトに関するユーザ情報の入力を受け付け、
前記表示手段は、前記入力画面を介して前記選択されたイベントオブジェクトに関するユーザ情報が入力される都度、当該入力されたユーザ情報を用いて更新されたシミュレーション結果を示す前記グラフ表示を、前記シミュレーション画面において表示する
ことを特徴とするシミュレーションシステム。
【請求項２】
前記受付手段は、前記配置処理により前記グラフ表示に配置されたイベントオブジェクトの種別及び前記時間軸における位置に基づいて、ユーザ情報の少なくとも一部の入力を受け付けることを特徴とする請求項１に記載のシミュレーションシステム。
【請求項３】
前記グラフ表示において、前記収入に関する表示は資産軸の正方向に、支出に関する表示は資産軸の負方向に、それぞれ対向して延び、資産総計に関する表示は、前記収入及び支出に関する表示に重ねて表示されることを特徴とする請求項１又は請求項２に記載のシミュレーションシステム。
【請求項４】
前記表示手段は、更に、前記ユーザ情報に基づいて、ユーザの年齢を基準としたイベント発生のタイミング並びにイベント内容を並べて表示したイベント一覧表示を表示処理することを特徴とする請求項１〜３の何れかに記載のシミュレーションシステム。
【請求項５】
前記時間軸の基端は、ユーザが入力したシミュレーション開始を希望する年齢であることを特徴とする請求項１〜４の何れかに記載のシミュレーションシステム。
【請求項６】
前記イベントオブジェクトは、特定のタイミングに起因するイベントに関するオブジェクトと、特定のタイミングに起因しないイベントに関するオブジェクトと、が識別可能に表示されることを特徴とする請求項１〜５の何れかに記載のシミュレーションシステム。
【請求項７】
前記イベントオブジェクトは、収入に関するオブジェクトと、支出に関するオブジェクトと、が識別可能に表示されることを特徴とする請求項１〜６の何れかに記載のシミュレーションシステム。
【請求項８】
前記入力画面において所定の前記ユーザ情報が入力されると、前記シミュレーション画面に新たなイベントオブジェクトが追加されることを特徴とする請求項１〜７の何れかに記載のシミュレーションシステム。
【請求項９】
入力されたユーザ情報に基づいて、ライフプランシミュレーションを行う為のシミュレーション方法であって、
コンピュータが、（１）ユーザの収入、支出、及び資産額の時間変化のシミュレーション結果を時間軸および資産軸で定義される平面上に表したグラフ表示、（２）ライフイベントの一覧を示す一覧表示、並びに（３）複数のイベントオブジェクトが配置されたイベントボックス、を含むシミュレーション画面を表示する表示ステップと、
前記シミュレーション画面においてシミュレーション結果を表示するためのユーザ情報の入力を受け付けるステップと、
前記シミュレーション画面において前記イベントボックス内に配置された前記複数のイベントオブジェクトの中から一のイベントオブジェクトの選択、および当該一のイベントオブジェクトの前記グラフ表示までの移動を受け付けることにより、当該グラフ表示上に当該一のイベントオブジェクトを配置するステップと、
前記グラフ表示上に配置された前記イベントオブジェクトが選択されたことに起因して、前記シミュレーション画面に重ねて、当該選択されたイベントオブジェクトに関する前記ユーザ情報を入力するための入力画面を表示するステップと、
前記入力画面を介して、前記選択されたイベントオブジェクトに関するユーザ情報の入力を受け付けるステップと、
前記入力画面を介して前記選択されたイベントオブジェクトに関するユーザ情報が入力される都度、当該入力されたユーザ情報を用いて更新されたシミュレーション結果を示す前記グラフ表示を、前記シミュレーション画面において表示するステップと
を有するシミュレーション方法。
【請求項１０】
コンピュータを、（１）ユーザの収入、支出、及び資産額の時間変化のシミュレーション結果を時間軸および資産軸で定義される平面上に表したグラフ表示、（２）ライフイベントの一覧を示す一覧表示、並びに（３）複数のイベントオブジェクトが配置されたイベントボックス、を含むシミュレーション画面を表示する表示手段と、
前記シミュレーション画面においてシミュレーション結果を表示するためのユーザ情報の入力を受け付ける受付手段と、
前記シミュレーション画面において前記イベントボックス内に配置された前記複数のイベントオブジェクトの中から一のイベントオブジェクトの選択、および当該一のイベントオブジェクトの前記グラフ表示までの移動を受け付けることにより、当該グラフ表示上に当該一のイベントオブジェクトを配置する配置手段と、として機能させ、
前記グラフ表示上に配置された前記イベントオブジェクトが選択されたことに起因して、前記表示手段は、前記シミュレーション画面に重ねて、当該選択されたイベントオブジェクトに関する前記ユーザ情報を入力するための入力画面を表示し、
前記受付手段は、前記入力画面を介して、前記選択されたイベントオブジェクトに関するユーザ情報の入力を受け付け、
前記表示手段は、前記入力画面を介して前記選択されたイベントオブジェクトに関するユーザ情報が入力される都度、当該入力されたユーザ情報を用いて更新されたシミュレーション結果を示す前記グラフ表示を、前記シミュレーション画面において表示する
ことを特徴とするシミュレーションプログラム。
【手続補正２】
【補正対象書類名】図面
【補正対象項目名】図１３
【補正方法】変更
【補正の内容】
【図１３】
2019144653.tif 000016